(57)【要約】【課題】作業の進捗率を参照して仕掛品の在庫金額を容易に算出できる仕掛品在庫金額算出装置、仕掛品在庫金額算出方法および仕掛品在庫金額算出プログラムを提供することを課題とする。【解決手段】本実施形態では、原価単価マスタに含まれる品目識別情報に対応する標準原価単価と、進捗率マスタに含まれる品目区分識別情報および作業工程分類識別情報の組合せに対応する作業進捗率と、仕掛品在庫データに含まれる品目識別情報に対応する仕掛品在庫数と、を乗じることにより、仕掛品の在庫金額を算出する。【選択図】図１
2018097742.tif 000002
【特許請求の範囲】
【請求項１】
制御部および記憶部を備えた、仕掛品在庫金額算出装置であって、
前記記憶部には、
品目識別情報と、これに対応する標準原価単価と、を含む原価単価マスタと、
品目区分識別情報と、作業工程分類識別情報と、前記品目区分識別情報および前記作業工程分類識別情報の組合せに対応する作業進捗率と、を含む進捗率マスタと、
前記品目識別情報と、これに対応する仕掛品在庫数と、を含む仕掛品在庫データと、
前記品目識別情報と、これに対応する品目区分識別情報と、を含む品目マスタと、
が格納されており、
前記制御部は、
前記原価単価マスタに含まれる品目識別情報に対応する標準原価単価と、前記進捗率マスタに含まれる品目区分識別情報および作業工程分類識別情報の組合せに対応する作業進捗率と、前記仕掛品在庫データに含まれる品目識別情報に対応する仕掛品在庫数と、を乗じることにより、仕掛品の在庫金額を算出する仕掛品在庫金額算出手段を備えること、
を特徴とする仕掛品在庫金額算出装置。
【請求項２】
前記作業工程分類識別情報が、複数の作業区情報からなることを特徴とする請求項１に記載の仕掛品在庫金額算出装置。
【請求項３】
前記進捗率マスタが、層数と、表面処理分類識別情報と、を更に含み、
前記品目マスタが、前記層数と、表面処理識別情報と、を更に含み、
前記記憶部には、
前記表面処理識別情報と、前記表面処理分類識別情報と、を含む表面処理マスタと、
前記品目識別情報と、前記複数の作業区情報と、を含む工順マスタと、
前記複数の作業区情報と、前記作業工程分類識別情報と、を含む作業区マスタと、
が更に格納されており、
前記進捗率マスタが、前記品目マスタと、前記表面処理マスタと、前記工順マスタと、前記作業区マスタと、から作成されることを特徴とする請求項１または２に記載の仕掛品在庫金額算出装置。
【請求項４】
制御部および記憶部を備えた情報処理装置で実行される仕掛品在庫金額算出方法であって、
前記記憶部には、
品目識別情報と、これに対応する標準原価単価と、を含む原価単価マスタと、
品目区分識別情報と、作業工程分類識別情報と、前記品目区分識別情報および前記作業工程分類識別情報の組合せに対応する作業進捗率と、を含む進捗率マスタと、
前記品目識別情報と、これに対応する仕掛品在庫数と、を含む仕掛品在庫データと、
前記品目識別情報と、これに対応する品目区分識別情報と、を含む品目マスタと、
が格納されており、
前記制御部で実行される、
前記原価単価マスタに含まれる品目識別情報に対応する標準原価単価と、前記進捗率マスタに含まれる品目区分識別情報および作業工程分類識別情報の組合せに対応する作業進捗率と、前記仕掛品在庫データに含まれる品目識別情報に対応する仕掛品在庫数と、を乗じることにより、仕掛品の在庫金額を算出する仕掛品在庫金額算出ステップを含むこと、
を特徴とする仕掛品在庫金額算出方法。
【請求項５】
制御部および記憶部を備えた情報処理装置に実行させるための仕掛品在庫金額算出プログラムであって、
前記記憶部には、
品目識別情報と、これに対応する標準原価単価と、を含む原価単価マスタと、
品目区分識別情報と、作業工程分類識別情報と、前記品目区分識別情報および前記作業工程分類識別情報の組合せに対応する作業進捗率と、を含む進捗率マスタと、
前記品目識別情報と、これに対応する仕掛品在庫数と、を含む仕掛品在庫データと、
前記品目識別情報と、これに対応する品目区分識別情報と、を含む品目マスタと、
が格納されており、
前記制御部に実行させるための、
前記原価単価マスタに含まれる品目識別情報に対応する標準原価単価と、前記進捗率マスタに含まれる品目区分識別情報および作業工程分類識別情報の組合せに対応する作業進捗率と、前記仕掛品在庫データに含まれる品目識別情報に対応する仕掛品在庫数と、を乗じることにより、仕掛品の在庫金額を算出する仕掛品在庫金額算出ステップを含むこと、
を特徴とする仕掛品在庫金額算出プログラム。
【発明の詳細な説明】
【技術分野】
【０００１】
本発明は、仕掛品在庫金額算出装置、仕掛品在庫金額算出方法および仕掛品在庫金額算出プログラムに関する。
【背景技術】
【０００２】
特許文献１には、複数種の生産品の各製造コストを統括的に管理する製造コスト管理システムおよび管理方法が開示されている（段落０００１等参照）。
【先行技術文献】
【特許文献】
【０００３】
【特許文献１】特許第５８８１３３６号公報
【発明の概要】
【発明が解決しようとする課題】
【０００４】
このような製造コスト管理の一環として、仕掛品の在庫金額を算出したい場合、作業の進捗率を参照すれば、容易に仕掛品の在庫金額を算出することができる。このため、作業の進捗率を算出して、自動的に仕掛品の在庫金額を算出できる方法が求められている。
【０００５】
本発明は、上記に鑑みてなされたものであって、作業の進捗率を参照して仕掛品の在庫金額を容易に算出できる仕掛品在庫金額算出装置、仕掛品在庫金額算出方法および仕掛品在庫金額算出プログラムを提供する。
【課題を解決するための手段】
【０００６】
上述した課題を解決し、目的を達成するために、本発明に係る仕掛品在庫金額算出装置は、制御部および記憶部を備えた、仕掛品在庫金額算出装置であって、前記記憶部には、品目識別情報と、これに対応する標準原価単価と、を含む原価単価マスタと、品目区分識別情報と、作業工程分類識別情報と、前記品目区分識別情報および前記作業工程分類識別情報の組合せに対応する作業進捗率と、を含む進捗率マスタと、前記品目識別情報と、これに対応する仕掛品在庫数と、を含む仕掛品在庫データと、前記品目識別情報と、これに対応する品目区分識別情報と、を含む品目マスタと、が格納されており、前記制御部は、前記原価単価マスタに含まれる品目識別情報に対応する標準原価単価と、前記進捗率マスタに含まれる品目区分識別情報および作業工程分類識別情報の組合せに対応する作業進捗率と、前記仕掛品在庫データに含まれる品目識別情報に対応する仕掛品在庫数と、を乗じることにより、仕掛品の在庫金額を算出する仕掛品在庫金額算出手段を備えること、を特徴とする。
【０００７】
また、本発明に係る仕掛品在庫金額算出装置は、前記作業工程分類識別情報が、複数の作業区情報からなることを特徴とする。
【０００８】
また、本発明に係る仕掛品在庫金額算出装置は、前記進捗率マスタが、層数と、表面処理分類識別情報と、を更に含み、前記品目マスタが、前記層数と、表面処理識別情報と、を更に含み、前記記憶部には、前記表面処理識別情報と、前記表面処理分類識別情報と、を含む表面処理マスタと、前記品目識別情報と、前記複数の作業区情報と、を含む工順マスタと、前記複数の作業区情報と、前記作業工程分類識別情報と、を含む作業区マスタと、が更に格納されており、前記進捗率マスタが、前記品目マスタと、前記表面処理マスタと、前記工順マスタと、前記作業区マスタと、から作成されることを特徴とする。
【０００９】
また、本発明に係る仕掛品在庫金額算出方法は、制御部および記憶部を備えた情報処理装置で実行される仕掛品在庫金額算出方法であって、前記記憶部には、品目識別情報と、これに対応する標準原価単価と、を含む原価単価マスタと、品目区分識別情報と、作業工程分類識別情報と、前記品目区分識別情報および前記作業工程分類識別情報の組合せに対応する作業進捗率と、を含む進捗率マスタと、前記品目識別情報と、これに対応する仕掛品在庫数と、を含む仕掛品在庫データと、前記品目識別情報と、これに対応する品目区分識別情報と、を含む品目マスタと、が格納されており、前記制御部で実行される、前記原価単価マスタに含まれる品目識別情報に対応する標準原価単価と、前記進捗率マスタに含まれる品目区分識別情報および作業工程分類識別情報の組合せに対応する作業進捗率と、前記仕掛品在庫データに含まれる品目識別情報に対応する仕掛品在庫数と、を乗じることにより、仕掛品の在庫金額を算出する仕掛品在庫金額算出ステップを含むこと、を特徴とする。
【００１０】
また、本発明に係る仕掛品在庫金額算出プログラムは、制御部および記憶部を備えた情報処理装置に実行させるための仕掛品在庫金額算出プログラムであって、前記記憶部には、品目識別情報と、これに対応する標準原価単価と、を含む原価単価マスタと、品目区分識別情報と、作業工程分類識別情報と、前記品目区分識別情報および前記作業工程分類識別情報の組合せに対応する作業進捗率と、を含む進捗率マスタと、前記品目識別情報と、これに対応する仕掛品在庫数と、を含む仕掛品在庫データと、前記品目識別情報と、これに対応する品目区分識別情報と、を含む品目マスタと、が格納されており、前記制御部に実行させるための、前記原価単価マスタに含まれる品目識別情報に対応する標準原価単価と、前記進捗率マスタに含まれる品目区分識別情報および作業工程分類識別情報の組合せに対応する作業進捗率と、前記仕掛品在庫データに含まれる品目識別情報に対応する仕掛品在庫数と、を乗じることにより、仕掛品の在庫金額を算出する仕掛品在庫金額算出ステップを含むこと、を特徴とする。
【発明の効果】
【００１１】
本発明によれば、作業の進捗率を参照して仕掛品の在庫金額を容易に算出できるという効果を奏する。
【図面の簡単な説明】
【００１２】
【図１】図１は、仕掛品在庫金額算出装置の構成の一例を示すブロック図である。
【図２】図２は、記憶部１０６に格納されているマスタおよびデータの情報の関連を示す図である。
【図３】図３は、表面処理分類ＣＤ、表面処理ＣＤ、層数、作業工程分類ＣＤおよび作業区の具体例を示す図である。
【図４】図４は、通常品に関しての、仕掛進捗率マスタ１０６ｂの一例を示す図である。
【図５】図５は、ＡＳＳＹ親に関しての、仕掛進捗率マスタ１０６ｂの一例を示す図である。
【図６】図６は、ＡＳＳＹ子に関しての、仕掛進捗率マスタ１０６ｂの一例を示す図である。
【図７】図７は、品目マスタ１０６ｄの入力画面の一例を示す図である。
【図８】図８は、工順マスタ１０６ｆの入力画面の一例を示す図である。
【図９】図９は、作業区マスタ１０６ｇの一例を示す図である。
【図１０】図１０は、仕掛進捗率マスタ１０６ｂの入力画面の一例を示す図である。
【発明を実施するための形態】
【００１３】
以下に、本発明に係る仕掛品在庫金額算出装置、仕掛品在庫金額算出方法および仕掛品在庫金額算出プログラムの実施形態を、図面に基づいて詳細に説明する。なお、本実施形態によりこの発明が限定されるものではない。
【００１４】
［１．概要］
製造業界において、仕掛品の在庫金額は、従来、品目別・工程別に設定した、標準作業時間マスタや標準作業数マスタを参照して算出していた。しかしながら、標準作業時間や標準作業数は随時変更されるため、これらのマスタのメンテナンスには大変な時間と労力を要しており、特に、作業の工程数が多い場合には、その問題は顕著であった。
【００１５】
また、作業現場への材料投入の際に、前記標準作業時間マスタや前記標準作業数マスタにおける数値は、作業の実際の進捗度を反映できていないことがあった。すなわち、作業時間数および作業数と、作業の実際の進捗率と、の間に乖離（ズレ）が生じることがあった。この場合、作業現場への材料投入を適切なタイミングで行えないという問題があった。
【００１６】
そこで、本実施形態においては、作業の進捗率をマスタ化することで、例えば、マスタメンテナンスの負荷を低減しつつ、作業の進捗率を参照して仕掛品の在庫金額を容易に算出できる仕掛品在庫金額算出装置、仕掛品在庫金額算出方法および仕掛品在庫金額算出プログラムを提供している。また、本実施形態においては、作業の進捗率をマスタ化することで、例えば、作業現場への材料投入を適切なタイミングで行える仕掛品在庫金額算出装置、仕掛品在庫金額算出方法および仕掛品在庫金額算出プログラムを提供している。以下、具体的な構成および動作について説明する。
【００１７】
［２．構成］
本実施形態に係る仕掛品在庫金額算出装置１００の構成について、図１を用いて説明する。図１は、仕掛品在庫金額算出装置１００の構成の一例を示すブロック図である。
【００１８】
仕掛品在庫金額算出装置１００は、市販のデスクトップ型パーソナルコンピュータである。なお、仕掛品在庫金額算出装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００１９】
仕掛品在庫金額算出装置１００は、図１に示すように、制御部１０２と通信インターフェース部１０４と記憶部１０６と入出力インターフェース部１０８と、を備えている。仕掛品在庫金額算出装置１００が備えている各部は、任意の通信路を介して通信可能に接続されている。
【００２０】
通信インターフェース部１０４は、ルータ等の通信装置および専用線等の有線または無線の通信回線を介して、仕掛品在庫金額算出装置１００をネットワーク３００に通信可能に接続する。通信インターフェース部１０４は、他の装置と通信回線を介してデータを通信する機能を有する。ここで、ネットワーク３００は、仕掛品在庫金額算出装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバ２００に格納されてもよい。
【００２１】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２２】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２３】
記憶部１０６は、原価単価マスタ１０６ａと、進捗率マスタとしての仕掛進捗率マスタ１０６ｂと、仕掛品在庫データとしての在庫データ１０６ｃと、品目マスタ１０６ｄと、表面処理マスタ１０６ｅと、工順マスタ１０６ｆと、作業区マスタ１０６ｇと、を備えている。
【００２４】
以下、各マスタおよび各データが含む具体的項目について、主に、図２〜図６を用いて詳細に説明する。図２は、記憶部１０６に格納されているマスタおよびデータの情報の関連を示す図である。図３は、表面処理分類ＣＤ、表面処理ＣＤ、層数、作業工程分類ＣＤおよび作業区の具体例を示す図である。図４は、通常品に関しての、仕掛進捗率マスタ１０６ｂの一例を示す図である。図５は、ＡＳＳＹ親に関しての、仕掛進捗率マスタ１０６ｂの一例を示す図である。図６は、ＡＳＳＹ子に関しての、仕掛進捗率マスタ１０６ｂの一例を示す図である。なお、各項目の後ろに示すかっこ内の表記は、各項目の具体例のことであり、図面においては、前記各項目の具体例を示している。例えば、品目識別情報（品目ＣＤ）と記載した場合には、品目識別情報の具体例として、品目ＣＤ（品目コード）があげられることを意味する。
【００２５】
原価単価マスタ１０６ａは、図２に示すように、品目識別情報（品目ＣＤ）と、これに対応する標準原価単価と、を含む。原価単価マスタ１０６ａは、更に、図２に示すように、月度等の情報を含んでもよい。
【００２６】
品目識別情報は、各品目を識別するための情報である。品目識別情報の表記としては、文字や数字やアルファベットの羅列のような識別ＣＤ（識別コード）であってもよいし、具体的な名称（例えば、具体的な品名等）であってもよい。これは、以下において説明する、品目識別情報以外の識別情報においても同様である。標準原価単価は、製品１個あたりの標準的な原価（製造コスト）のことであり、各品目毎に異なる値が設定される。
【００２７】
仕掛進捗率マスタ１０６ｂは、図２に示すように、品目区分識別情報（品目区分）と、作業工程分類識別情報（作業工程分類ＣＤ）と、前記品目区分識別情報および前記作業工程分類識別情報の組合せに対応する作業進捗率（進捗率）と、を含む。仕掛進捗率マスタ１０６ｂは、更に、図２に示すように、層数、表面処理分類識別情報（表面処理分類ＣＤ）等の情報を含んでもよい。仕掛進捗率マスタ１０６ｂの入力画面の一例を、図１０に示す。
【００２８】
品目区分識別情報は、前記各品目が属する区分のことであり、例えば、品目ａおよびｂは、品目区分「通常品」に属するという様になる。本例では、前記品目区分識別情報として、図４に示す「通常品」、図５に示す「ＡＳＳＹ親」および図６に示す「ＡＳＳＹ子」を用いている。作業工程分類識別情報は、各作業工程を大まかに分類して識別するための情報である。具体的には、図３の下段表における左列に示す、工程分類０１〜工程分類１６までが、作業工程分類識別情報である。作業進捗率は、ある製品の製造における作業開始時点を０、完成時点を１とした場合に、作業の進捗度を０〜１で表した数値であり、例えば、作業進捗率が「０．５」である場合には、前記ある製品は、完成品に対して、５０％まで作業が進んだことを意味する。なお、この作業進捗率の表現は、前述の０．５のような割合での表現に限定されず、例えば、５０％のような百分率での表現であってもよい。作業進捗率は、前記品目区分識別情報および前記作業工程分類識別情報の組合せに基づき、オペレータが入力することにより設定する数値である。例えば、品目区分「通常品」で、作業工程０３の場合は、作業進捗率＝０．２９２２に、品目「ＡＳＳＹ親」で、作業工程０３の場合は、作業進捗率＝０．０８７７にという様に設定することができる。層数は、製品（例えば、プリント基板）が層構造を有する場合の層の数のことであり、本例においては、図３の中段表に示すように、２層構造の製品を両面板、４層以上の構造の製品を多層板と定義している。表面処理分類識別情報は、製品の表面に施す処理による大まかな分類情報であり、本例においては、図３の上段表に示すように、「１  レベラー品」「２  フラックス品」「３  金めっき品」「４  鉛フリー品」の４つがある。
【００２９】
ここで、図４〜図６に示す仕掛進捗率マスタにおいては、作業進捗率は、品目区分識別情報（通常品、ＡＳＳＹ親、ＡＳＳＹ子のいずれか）、層数（多層板か両面板か）、作業工程分類識別情報（縦軸の工程０１等）および表面処理分類識別情報（横軸のレベラー品等）という４つの要素の組合せによって、一つの数値が定まっている。しかしながら、前段落で説明したとおり、作業進捗率は、品目区分識別情報および作業工程分類識別情報という２つの要素の組合せのみに基づいて設定可能な数値であり、層数および表面処理分類識別情報は、作業進捗率を、図４〜図６のように、更に細かく設定したい場合の任意の構成要素である。
【００３０】
作業工程分類識別情報は、以下［３．処理の具体例］で述べる理由により、複数の作業区情報からなることが好ましい。作業区情報は、前記各作業工程中に更に含まれる具体的作業内容のことである。例えば、図９の作業区マスタの表の中列に示すように、作業工程分類識別情報（作業工程分類ＣＤ）０３中には、作業区情報として、準備、準備１、内層１、内層２、内層３、内回２、内回３、内層検査および内層検査１が含まれている。なお、これらの作業区情報は、図９の作業マスタの表の左列に示すように、例えば、数値コードで示してもよい。
【００３１】
在庫データ１０６ｃは、図２に示すように、品目識別情報（品目ＣＤ）と、これに対応する仕掛品在庫数（在庫数）と、を含む。在庫データ１０６ｃは、更に、図２に示すように、月度、工順等の情報を含んでもよい。
【００３２】
仕掛品在庫数は、製造の途中段階の製品である仕掛品の在庫数である。工順は、前記作業区情報の１つ１つに対して振られる番号であり、例えば、作業区「準備」には工順１、作業区「準備１」には工順２という様に番号が振られる。
【００３３】
品目マスタ１０６ｄは、図２に示すように、品目識別情報（品目ＣＤ）と、これに対応する品目区分識別情報（品目区分）と、を含む。品目マスタ１０６ｄは、更に、図２に示すように、層数、表面処理識別情報（表面処理ＣＤ）等の情報を含んでもよい。品目マスタ１０６ｄの入力画面の一例を、図７に示す。
【００３４】
表面処理識別情報は、前記表面処理分類識別情報の中に含まれる、更に細かい分類である。例えば、図３の上段表に示すように、「１  レベラー品」の表面処理分類識別情報は、その表面処理の違いによって、更に、「レベラー」と「水平レベラー」の表面処理識別情報に分かれる。
【００３５】
表面処理マスタ１０６ｅは、図２に示すように、例えば、表面処理識別情報（表面処理ＣＤ）、表面処理分類識別情報（表面処理分類ＣＤ）等の情報を含む。
【００３６】
工順マスタ１０６ｆは、図２に示すように、例えば、品目識別情報（品目ＣＤ）、工順、作業区情報（作業区）等の情報を含む。工順マスタ１０６ｆの入力画面の一例を、図８に示す。
【００３７】
作業区マスタ１０６ｇは、図２に示すように、例えば、作業区情報（作業区）、作業工程分類識別情報（作業工程分類ＣＤ）等の情報を含む。作業区マスタ１０６ｇの一例を、図９に示す。
【００３８】
ここで、表面処理マスタ１０６ｅ、工順マスタ１０６ｆおよび作業区マスタ１０６ｇは、任意の構成要素であるが、以下に説明するように、仕掛進捗率マスタ１０６ｂにおける作業進捗率以外の項目を自動作成する際に必要な情報であるため、記憶部１０６に含まれることが好ましい。すなわち、品目マスタ１０６ｄと、表面処理マスタ１０６ｅと、から、仕掛進捗率マスタ１０６ｂにおける品目区分識別情報、層数および表面処理分類識別情報が作成される。一方、工順マスタ１０６ｆと、作業区マスタ１０６ｇと、から、仕掛進捗率マスタ１０６ｂにおける作業工程分類識別情報が作成される。仕掛進捗率マスタ１０６ｂにおける進捗率は、前述のとおり、オペレータが入力することにより設定する。このようにして、仕掛進捗率マスタ１０６ｂが、品目マスタ１０６ｄと、表面処理マスタ１０６ｅと、工順マスタ１０６ｆと、作業区マスタ１０６ｇと、から作成される。なお、表面処理マスタ１０６ｅ、工順マスタ１０６ｆおよび作業区マスタ１０６ｇが記憶部１０６に含まれない場合には、仕掛進捗率マスタ１０６ｂに含まれる作業進捗率以外の項目も、オペレータが入力して設定することとなる。
【００３９】
制御部１０２は、仕掛品在庫金額算出装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、前記原価単価マスタに含まれる品目識別情報に対応する標準原価単価と、前記進捗率マスタに含まれる品目区分識別情報および作業工程分類識別情報の組合せに対応する作業進捗率と、前記仕掛品在庫データに含まれる品目識別情報に対応する仕掛品在庫数と、を乗じることにより、仕掛品の在庫金額を算出する仕掛品在庫金額算出手段としての仕掛品在庫金額算出部１０２ａを備えている。なお、仕掛品在庫金額算出部１０２ａが実行する処理の詳細については、以下の［３．処理の具体例］にて詳細に説明する。
【００４０】
［３．処理の具体例］
以下、本実施形態に係る処理の具体例について詳細に説明する。なお、本実施形態においては、以下の前提条件が存在すると仮定し、品目識別情報Ａ１２３の仕掛品の在庫金額を算出する場合について説明する。
【００４１】
（前提条件）
品目識別情報：Ａ１２３
品目区分識別情報：通常品
標準原価単価：１００円
作業工程分類識別情報：工程分類０６
層数：多層板
表面処理分類識別情報：レベラー品
仕掛品在庫数：５０００
仕掛進捗率の数値：図４〜図６の仕掛進捗率の表の数値を用いる
【００４２】
仕掛品在庫金額算出部１０２ａは、原価単価マスタ１０６ａに含まれる品目識別情報に対応する標準原価単価と、仕掛進捗率マスタ１０６ｂに含まれる品目区分識別情報および作業工程分類識別情報の組合せに対応する作業進捗率と、在庫データ１０６ｃに含まれる品目識別情報に対応する仕掛品在庫数と、を乗じることにより、仕掛品の在庫金額を算出する。なお、前記仕掛品の在庫金額とは、仕掛品１個あたりの製造コストに、仕掛品の在庫数量を乗じることにより算出される金額のことである。
【００４３】
具体的には、上記の前提条件を参照すると、原価単価マスタ１０６ａに含まれる品目識別情報（Ａ１２３）に対応する標準原価単価は、１００円である。また、仕掛進捗率マスタ１０６ｂに含まれる品目区分識別情報（通常品）および作業工程分類識別情報(工程分類０６)の組合せに対応する進捗率は、図４を参照すると８つあるが、この中で、層数が多層板であり、かつ、表面処理分類識別情報がレベラー品であるものは、進捗率が０．６０７である。さらに、在庫データ１０６ｃに含まれる品目識別情報（Ａ１２３）に対応する仕掛品在庫数は、５０００である。
【００４４】
以上より、仕掛品在庫金額算出部１０２ａは、品目識別情報Ａ１２３の仕掛品の在庫金額を、１００円×０．６０７×５０００＝３０３，５００円と算出できる。
【００４５】
このように、本実施形態に係る仕掛品在庫金額算出装置１００によれば、作業の進捗率を参照して仕掛品の在庫金額を容易に算出できる。
【００４６】
また、本実施形態に係る仕掛品在庫金額算出装置１００によれば、例えば、仕掛品在庫金額を算出する際に、従来のように、変更の多い標準作業時間マスタや標準作業数マスタを参照するのではなく、変更が比較的少ない作業の進捗率マスタを参照するため、マスタメンテナンスの負荷が小さい。特に、作業の進捗率がある程度固定化された業界であれば、マスタメンテナンスの負荷はほぼない。
【００４７】
そして、従来は、作業現場への材料投入の際に、前記標準作業時間マスタや前記標準作業数マスタにおける数値は、作業の実際の進捗度を反映できていないことがあった。このため、作業時間数および作業数と、作業の実際の進捗率と、の間に乖離（ズレ）が生じることがあった。この場合、作業現場への材料投入を適切なタイミングで行えないことがあった。これに対して、本実施形態に係る仕掛品在庫金額算出装置１００によれば、例えば、仕掛進捗率マスタ１０６ｂを参照することにより、作業の進捗率を反映し、作業現場への材料投入を適切なタイミングで行える。
【００４８】
さらに、本実施形態に係る仕掛品在庫金額算出装置１００によれば、例えば、作業工程分類識別情報が、複数の作業区情報からなれば、複数の作業区情報をグループ化して、グループ毎（すなわち、作業工程分類毎）での仕掛品在庫金額を算出することができる。すなわち、例えば、図９の作業区マスタの表において、「準備」段階まで進んだ仕掛品在庫金額と、「内層検査１」段階まで進んだ仕掛品在庫金額と、を別々に算出するのではなく、両段階まで進んだ仕掛品在庫金額を併せて、作業工程分類ＣＤ０３というグループ毎での仕掛品在庫金額として算出できる。
【００４９】
［４．他の実施形態］
本発明は、上述した実施形態以外にも、特許請求の範囲に記載した技術的思想の範囲内において種々の異なる実施形態にて実施されてよいものである。
【００５０】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００５１】
また、本明細書中や図面中で示した処理手順、制御手順、具体的名称、各処理の登録データや検索条件等のパラメータを含む情報、画面例、データベース構成については、特記する場合を除いて任意に変更することができる。
【００５２】
また、仕掛品在庫金額算出装置１００に関して、図示の各構成要素は機能概念的なものであり、必ずしも物理的に図示の如く構成されていることを要しない。
【００５３】
例えば、仕掛品在庫金額算出装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて仕掛品在庫金額算出装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００５４】
また、このコンピュータプログラムは、仕掛品在庫金額算出装置１００に対して任意のネットワークを介して接続されたアプリケーションプログラムサーバに記憶されていてもよく、必要に応じてその全部または一部をダウンロードすることも可能である。
【００５５】
また、本実施形態で説明した処理を実行するためのプログラムを、一時的でないコンピュータ読み取り可能な記録媒体に格納してもよく、また、プログラム商品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。したがって、本明細書で説明したような処理又は処理方法を実行するためのプログラムを格納した記録媒体もまた本発明を構成することとなる。
【００５６】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００５７】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００５８】
また、仕掛品在庫金額算出装置１００は、既知のパーソナルコンピュータまたはワークステーション等の情報処理装置として構成してもよく、また、任意の周辺装置が接続された当該情報処理装置として構成してもよい。また、仕掛品在庫金額算出装置１００は、当該装置に本実施形態で説明した処理を実現させるソフトウェア（プログラムまたはデータ等を含む）を実装することにより実現してもよい。
【００５９】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００６０】
本発明は、あらゆる分野において有用であるが、特に、製造業界等の分野において有用である。
【符号の説明】
【００６１】
１００  仕掛品在庫金額算出装置
１０２  制御部
１０２ａ  仕掛品在庫金額算出部
１０４  通信インターフェース部
１０６  記憶部
１０６ａ  原価単価マスタ
１０６ｂ  仕掛進捗率マスタ
１０６ｃ  在庫データ
１０６ｄ  品目マスタ
１０６ｅ  表面処理マスタ
１０６ｆ  工順マスタ
１０６ｇ  作業区マスタ
１０８  入出力インターフェース部
１１２  入力装置
１１４  出力装置
２００  サーバ
３００  ネットワーク
【図１】
2018097742.tif 000003
【図２】
2018097742.tif 000004
【図３】
2018097742.tif 000005
【図４】
2018097742.tif 000006
【図５】
2018097742.tif 000007
【図６】
2018097742.tif 000008
【図７】
2018097742.tif 000009
【図８】
2018097742.tif 000010
【図９】
2018097742.tif 000011
【図１０】
2018097742.tif 000012